(57)【要約】【課題】寄道を考慮した経路及び発着時刻を探索する。【解決手段】経路探索サーバは、交通機関の路線及び時刻表を含む経路情報を記憶する経路情報記憶部と、ユーザ端末から、出発地から到着地までの交通機関を利用した移動経路の探索要求を受け付け、前記経路情報を参照し、前記探索要求に基づいて移動経路の探索を行い、探索結果を前記ユーザ端末へ送信する経路探索部と、を備える。前記経路探索部は、前記探索要求に寄道時間が含まれている場合、探索した移動経路上で前記寄道時間の寄道をした場合の発着時刻と、寄道をしていないふりをする場合の仮想発着時刻を探索し、前記ユーザ端末へ送信する。【選択図】図１
2020118543.tif 000002
【特許請求の範囲】
【請求項１】
交通機関の路線及び時刻表を含む経路情報を記憶する経路情報記憶部と、
ユーザ端末から、出発地から到着地までの交通機関を利用した移動経路の探索要求を受け付け、前記経路情報を参照し、前記探索要求に基づいて移動経路の探索を行い、探索結果を前記ユーザ端末へ送信する経路探索部と、
を備え、
前記経路探索部は、前記探索要求に寄道時間が含まれている場合、探索した移動経路上で前記寄道時間の寄道をした場合の発着時刻と、寄道をしていないふりをする場合の仮想発着時刻を探索し、前記ユーザ端末へ送信することを特徴とする経路探索サーバ。
【請求項２】
前記仮想発着時刻は、目的地到着時刻が、寄道をした場合の目的地到着時刻と同じ第１時刻であり、出発地出発時刻が、寄道をせずに前記第１時刻に目的地に到達するための第２時刻であることを特徴とする請求項１に記載の経路探索サーバ。
【請求項３】
複数の店舗についての名称、住所、及び営業時間を含む店舗情報を記憶する店舗情報記憶部と、
前記店舗情報を参照し、寄道をする場所にある店舗を抽出する店舗抽出部と、
をさらに備え、
抽出した店舗の情報を前記ユーザ端末へ送信することを特徴とする請求項１又は２に記載の経路探索サーバ。
【請求項４】
前記店舗抽出部は、前記経路探索部による探索結果に基づいて、寄道をしている時間帯に営業中の店舗を抽出することを特徴とする請求項３に記載の経路探索サーバ。
【請求項５】
探索した移動経路が鉄道の乗り換えを含む場合、前記店舗抽出部は、乗換駅周辺にある店舗を抽出することを特徴とする請求項３又は４に記載の経路探索サーバ。
【請求項６】
ユーザ端末から、出発地から到着地までの交通機関を利用した移動経路の探索要求を受け付ける工程と、
前記探索要求に基づいて移動経路の探索を行い、探索結果を前記ユーザ端末へ送信する工程と、
前記探索要求に寄道時間が含まれている場合、探索した移動経路上で前記寄道時間の寄道をした場合の発着時刻と、寄道をしていないふりをする場合の仮想発着時刻とを探索し、前記ユーザ端末へ送信する工程と、
経路探索サーバが実行することを特徴とする経路探索方法。
【発明の詳細な説明】
【技術分野】
【０００１】
本発明は、経路探索サーバ及び経路探索方法に関する。
【背景技術】
【０００２】
サーバに交通機関の路線や運行時刻データを蓄積し、出発地から目的地までの経路を探索し、案内する乗換案内サービスが知られている。経路の探索結果として、早く目的地まで到着する経路、運賃が安くすむ経路、列車の乗換回数が少ない経路等が出力される。経路探索の際に出発時刻を入力することで、目的地に到着する時刻が算出されていた。また、目的地到着時刻を入力することで、出発時刻が算出されていた。
【０００３】
従来の乗換案内サービスでは、出発地から目的地までどこも立ち寄らずにまっすぐ移動することを前提に、到着時刻や出発時刻が算出されていた。しかし、経路上の乗換駅や途中駅で買い物や食事などの“寄道”をするユーザにとっては、まっすぐ移動することを前提として算出された到着時刻や出発時刻はあまり役に立っていなかった。
【先行技術文献】
【特許文献】
【０００４】
【特許文献１】特開２００２−１６９９１５号公報
【発明の概要】
【発明が解決しようとする課題】
【０００５】
本発明は、寄道を考慮した経路及び発着時刻を探索する経路探索サーバ及び経路探索方法を提供することを課題とする。
【課題を解決するための手段】
【０００６】
本発明による経路探索サーバは、交通機関の路線及び時刻表を含む経路情報を記憶する経路情報記憶部と、ユーザ端末から、出発地から到着地までの交通機関を利用した移動経路の探索要求を受け付け、前記経路情報を参照し、前記探索要求に基づいて移動経路の探索を行い、探索結果を前記ユーザ端末へ送信する経路探索部と、を備え、前記経路探索部は、前記探索要求に寄道時間が含まれている場合、探索した移動経路上で前記寄道時間の寄道をした場合の発着時刻と、寄道をしていないふりをする場合の仮想発着時刻を探索し、前記ユーザ端末へ送信するものである。
【０００７】
本発明の一態様では、前記仮想発着時刻は、目的地到着時刻が、寄道をした場合の目的地到着時刻と同じ第１時刻であり、出発地出発時刻が、寄道をせずに前記第１時刻に目的地に到達するための第２時刻である。
【０００８】
本発明の一態様では、複数の店舗についての名称、住所、及び営業時間を含む店舗情報を記憶する店舗情報記憶部と、前記店舗情報を参照し、寄道をする場所にある店舗を抽出する店舗抽出部と、をさらに備え、抽出した店舗の情報を前記ユーザ端末へ送信する。
【０００９】
本発明の一態様では、前記店舗抽出部は、前記経路探索部による探索結果に基づいて、寄道をしている時間帯に営業中の店舗を抽出する。
【００１０】
本発明の一態様では、探索した移動経路が鉄道の乗り換えを含む場合、前記店舗抽出部は、乗換駅周辺にある店舗を抽出する。
【００１１】
本発明の経路探索方法は、ユーザ端末から、出発地から到着地までの交通機関を利用した移動経路の探索要求を受け付ける工程と、前記探索要求に基づいて移動経路の探索を行い、探索結果を前記ユーザ端末へ送信する工程と、前記探索要求に寄道時間が含まれている場合、探索した移動経路上で前記寄道時間の寄道をした場合の発着時刻と、寄道をしていないふりをする場合の仮想発着時刻とを探索し、前記ユーザ端末へ送信する工程と、経路探索サーバが実行するものである。
【発明の効果】
【００１２】
本発明によれば、寄道を考慮した経路及び発着時刻を探索できる。
【図面の簡単な説明】
【００１３】
【図１】本発明の実施形態に係る経路探索システムの概略図である。
【図２】通常検索画面の例を示す図である。
【図３】寄道検索画面の例を示す図である。
【図４】寄道詳細設定画面の例を示す図である。
【図５】寄道をした場合の発着時刻探索結果の例を示す図である。
【図６】店舗検索結果の例を示す図である。
【図７】経路探索システムのブロック構成図である。
【図８】店舗表示申込書の例を示す図である。
【図９】図９ａはログイン画面の例を示す図であり、図９ｂは店舗情報登録画面の例を示す図である。
【図１０】経路探索方法を説明するフローチャートである。
【発明を実施するための形態】
【００１４】
以下、本発明の実施の形態を図面に基づいて説明する。
【００１５】
図１は、本発明の実施形態に係る経路探索システムの概略図である。図１に示すように、経路探索システムは、経路探索サーバ１（以下、サーバ１と記載する）と、ユーザ端末２と、登録者端末３と、を備える。ユーザ端末２及び登録者端末３は、サーバ１と通信可能な機器であり、例えば、スマートフォンやタブレット端末、パーソナルコンピュータである。
【００１６】
サーバ１は、インターネットを介してアクセスしてきたユーザ端末２に対して、指定された出発地から目的地までの経路を探索する経路探索サービスを提供するものであり、ユーザ端末２には検索画面等が表示される。また、サーバ１が提供する経路探索サービスは、経路の途中で寄道をした場合の到着時刻等を検索（探索）することができる。また、寄道する地域に存在する飲食店等の店舗もあわせて検索することができる。
【００１７】
登録者端末３は、この経路探索サービスで検索結果として表示される店舗の関係者が使用する端末であり、店舗情報や店舗写真をサーバ１に登録する。
【００１８】
例えば、ユーザ端末２は、サーバ１と通信を行い、経路検索画面を取得し、表示する。経路検索には、寄道せずに目的地にまっすぐ向かう場合の通常検索と、途中で寄道する場合の寄道検索とがある。ユーザ端末２がスマートフォンやタブレット端末である場合、そのタッチパネルには、図２に示すような通常検索画面と、図３に示すような寄道検索画面とが切替ボタンＫにより切り替え可能に表示される。
【００１９】
各検索画面は、出発地入力領域Ｃ１、目的地入力領域Ｃ２、検索条件入力領域Ｔ、検索実行ボタンＢ等を含む。また、寄道検索画面は、寄道エリア入力領域Ｄ１、寄道時間入力領域Ｄ２を含む。寄道エリア入力領域Ｄ１で「おまかせ」を選択した場合、サーバ１は、移動経路上の寄道スポットを検索する。寄道時間入力領域Ｄ２には、寄道予定時間を入力することができる。
【００２０】
また、寄道詳細設定ボタンＤ３を押すと、図４に示すような店舗検索のための詳細設定画面が表示される。詳細設定画面では、寄道中に使用する予算を入力できる。また、検索したい店舗の業態や、検索結果の表示順序を設定できる。
【００２１】
また、検索対象とする店舗の条件を設定できる。例えば、駅の改札内にある店舗のみを検索する、改札外の店舗のみ検索する、写真が掲載されている店舗のみ検索する、などを設定できる。
【００２２】
サーバ１は、基本的には、ユーザが寄道をする時間帯に営業している店舗のみを検索するが、営業時間外店舗もあわせて検索できるように設定できる。また、この経路探索サービスがおすすめする店舗のみ検索できるように設定することも可能である。
【００２３】
例えば、出発時刻を入力した上で寄道検索を行うと、サーバ１は、図５に示すように、寄道をしなかった場合の発着時刻、寄道をした場合の発着時刻、及び寄道をした場合の目的地到着時刻に、寄道しないと仮定して目的地に到着するための仮想発着時刻を検索（算出）して、ユーザ端末２に表示する。『寄道をした場合の目的地到着時刻に、寄道しないと仮定して目的地に到着するための仮想発着時刻』とは、言い換えれば、寄道をするものの、寄道をしていないかのようにふるまう際に好適な（辻褄の合う）発着時刻である。
【００２４】
例えば、図５に示す例では、新宿駅を１８：０７に出発し、国分寺駅で３０分寄道をする場合、目的地の大日本駅には１９：１４に到着する。寄道せずに大日本駅に１９：１４に到着するには、新宿駅を１８：３８に出発する鉄道に乗ればよいことが分かる。
【００２５】
このように、寄道をした場合の発着時刻と共に、寄道をしていないふりをするのに好適な仮想発着時刻もあわせて検索結果に表示される。
【００２６】
寄道をしなかった場合の発着時刻、寄道をした場合の発着時刻、及び寄道をしていないふりをするための仮想発着時刻の情報を、それぞれ、ＳＮＳ、メッセージサービス、Ｅメール等で他ユーザに送信できるようになっている。
【００２７】
また、店舗検索のための詳細設定を行うことで、図６に示すような寄道エリアにおける店舗検索結果をユーザ端末２に表示できる。店舗検索結果には、店舗名、予算、平均滞在時間等が掲載される。写真ボタンＰを押すことで、各店舗の写真を閲覧することができる。地図ボタンＭを押すことで、各店舗の場所を示すマップが表示される。ＳＮＳ、メッセージサービス、Ｅメール等で店舗情報を他ユーザに送信できるようになっていてもよい。
【００２８】
このように、本実施形態では、経路の途中で寄道をする場合の発着時刻や、寄道をしていないかのようにふるまうための仮想発着時刻を検索できる。また、ユーザは、寄道に適した店舗を検索できる。
【００２９】
次に、経路探索システムを構成するサーバ１及びユーザ端末２についてそれぞれ説明する。
【００３０】
図７に示すように、ユーザ端末２は、制御部２０、操作部２１、表示部２２、及び通信部２３を有する。操作部２１は、ユーザから操作を受け付ける。表示部２２は、各種情報を表示する。例えば、操作部２１及び表示部２２はタッチパネルである。通信部２３は、インターネット等のネットワークを介してサーバ１と通信を行う。
【００３１】
制御部２０は、ハードウェアで構成してもよいし、ソフトウェアで構成してもよい。例えば、制御部２０は、コンピュータのＣＰＵ、ＲＡＭ、ＲＯＭなどで構成され、ＲＡＭやＲＯＭ、ハードディスクや半導体メモリ等の記録媒体に記憶されたプログラムが動作することにより実現される。
【００３２】
制御部２０は、通信部２３を介してサーバ１にアクセスし、検索画面を取得して表示部２２に表示する。制御部２０は、検索実行ボタンＢが押されると、検索条件や寄道設定情報を含む検索要求をサーバ１へ送信する。制御部２０は、サーバ１から経路検索結果を受信し、表示部２２に表示する。
【００３３】
検索結果と共に表示されるＳＮＳボタン、メッセージサービスボタン、Ｅメールボタン等が押されると、制御部２０は、検索結果をＳＮＳに投稿したり、メッセージサービスやＥメール機能を起動して他ユーザに検索結果を送信したりする。
【００３４】
店舗検索結果と共に表示される写真ボタンＰが押されると、制御部２０は、対応する店舗の画像データをサーバ１から取得し、表示部２２に表示する。店舗検索結果と共に表示される地図ボタンＭが押されると、制御部２０は、対応する店舗の地図データをサーバ１から取得し、表示部２２に表示する。
【００３５】
続いて、サーバ１について説明する。図７に示すように、サーバ１は、データベースとして、経路情報記憶部１０、マップ情報記憶部１２、及び店舗情報記憶部１４を有する。また、サーバ１は、店舗情報登録部１０２、経路探索部１０４、店舗抽出部１０６、及び画面送信部１０８を有する。
【００３６】
店舗情報登録部１０２、経路探索部１０４、店舗抽出部１０６、及び画面送信部１０８はハードウェアで構成してもよいし、ソフトウェアで構成してもよい。例えば、各部は、コンピュータのＣＰＵ、ＲＡＭ、ＲＯＭなどで構成され、ＲＡＭやＲＯＭ、ハードディスクや半導体メモリ等の記録媒体に記憶されたプログラムが動作することにより実現される。
【００３７】
経路情報記憶部１０は、出発地から目的地までの移動経路及び利用する交通機関を特定するために必要な経路情報を格納する。例えば、鉄道、バスなどの交通機関の路線、時刻表、料金、乗換可能駅などを含む。
【００３８】
マップ情報記憶部１２は、構内図や地図等のマップ情報を格納する。
【００３９】
店舗情報記憶部１４は、店舗の名称や住所、予算、営業時間等を含む店舗情報を記憶する。また、店舗情報記憶部１４は、各店舗に対応付けられた画像データを記憶する。画像データは、例えば、店舗の外観、内観、提供する商品や料理の写真である。
【００４０】
経営する店舗を寄道検索に表示させたい経営者は、図８に示すような申込書を経路探索サービスの事業者に提出する。事業者は、店舗のアカウントを作成し、店舗に対し、ＩＤ及びパスワードを発行する。
【００４１】
店舗スタッフ（経営者）は、登録者端末３を利用してサーバ１にアクセスし、店舗情報を登録する。例えば、図９ａに示すようなログイン画面で、発行されたＩＤ及びパスワードを入力する。ログイン後、図９ｂに示すような店舗情報登録画面が表示される。店舗スタッフは、写真や店舗情報を登録する。
【００４２】
店舗情報登録部１０２は、登録者端末３から登録された店舗情報や写真データを店舗情報記憶部１４に格納する。
【００４３】
経路探索部１０４は、経路情報記憶部１０内の経路情報を参照し、ユーザ端末２からの検索要求に含まれる検索条件に従って、移動経路を１つ以上検索（探索）する。寄道検索が要求されている場合、経路探索部１０４は、寄道する駅や、寄道時間等を考慮して、移動経路や発着時刻を探索する。また、経路探索部１０４は、寄道をした場合の目的地到着時刻に、寄道しないと仮定して目的地に到着するための仮想発着時刻を探索する。
【００４４】
店舗抽出部１０６は、店舗情報記憶部１４内の店舗情報を参照し、詳細設定画面（図４参照）で設定された条件にあう店舗を抽出する。
【００４５】
画面送信部１０８は、各種画面を表す画面データをユーザ端末２へ送信する。例えば、画面送信部１０８は、経路検索画面、経路検索結果画面、店舗検索結果画面等の画面データをユーザ端末２へ送信する。サーバ１は、ユーザ端末２に表示された画面を介して、ユーザからの入力情報を取得する。
【００４６】
寄道検索におけるサーバ１の処理を図１０に示すフローチャートに沿って説明する。
【００４７】
サーバ１がユーザ端末２から、出発地、目的地、出発時刻又は到着時刻、寄道場所、寄道時間、店舗検索詳細設定等を含む経路探索要求を受信する（ステップＳ１）。
【００４８】
経路探索部１０４が、経路探索を行う（ステップＳ２）。経路探索部１０４は、寄道する駅や、寄道時間等を考慮して、発着時刻を探索する（ステップＳ３）。さらに、経路探索部１０４は、寄道をしていないふりをするのに好適な仮想発着時刻を探索する（ステップＳ４）。
【００４９】
店舗抽出部１０６が、検索画面で設定された寄道場所や、詳細設定画面で設定された予算、店舗業態等に基づいて、条件にあう店舗を抽出する（ステップＳ５）。例えば、店舗抽出部１０６は、予算がユーザ設定の予算の範囲内であり、寄道をしている時間帯に営業している店舗を抽出する。寄道をする場所が『おまかせ』である場合、店舗抽出部１０６は、出発地から目的地までの経路上で寄道に好適な駅、例えば乗換駅や店舗の多い駅の周辺にある店舗を抽出する。
【００５０】
画面送信部１０８が、発着時刻や抽出された店舗情報を含む検索結果画面の画面データをユーザ端末２へ送信する（ステップＳ６）。ユーザは、ユーザ端末２に表示された検索結果を参照して、寄道を楽しむことができる。
【００５１】
上記実施形態において、寄道検索画面で指定した寄道場所をお気に入り登録できるようにしてもよい。以後、寄道場所を『おまかせ』として寄道検索をした際に、探索した経路上にお気に入り登録した場所がある場合は、この登録場所で店舗を抽出する。
【００５２】
上記実施形態では、図６に示すように、抽出した店舗をリスト形式で表示する例について説明したが、抽出した店舗をマークで記したマップ形式で表示してもよい。
【００５３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５４】
１  経路探索サーバ
２  ユーザ端末
３  登録者端末
１０  経路情報記憶部
１２  マップ情報記憶部
１４  店舗情報記憶部
１０２  店舗情報登録部
１０４  経路探索部
１０６  店舗抽出部
１０８  画面送信部
【図１】
2020118543.tif 000003
【図２】
2020118543.tif 000004
【図３】
2020118543.tif 000005
【図４】
2020118543.tif 000006
【図５】
2020118543.tif 000007
【図６】
2020118543.tif 000008
【図７】
2020118543.tif 000009
【図８】
2020118543.tif 000010
【図９】
2020118543.tif 000011
【図１０】
2020118543.tif 000012